(57)【要約】【課題】記録媒体装着前に該記録媒体の残容量等の情報を認識することができる使い勝手のよい電子データ記録装置を提供すること。【解決手段】着脱自在の記録媒体２に電子データを記録する電子データ記録装置１において、記録媒体２は、記録対象のデータである第一データを記録するための第一データ記憶部１３と、上記第一データ記憶部の残容量データを記憶する第二データ記憶部１５とを具備しており、電子データ記録装置１は、記録媒体２が上記電子データ記録装置に少なくとも装着されていない状態にて記録媒体２と記録装置１とに設けられる無線通信部を介して第二データ記憶部１５から残容量データを読み出し、所定のデータと比較して、残容量が少なかった場合、警告表示を行い、使用者に当該記録媒体２に第一データが記録不可であることを知らせる。【選択図】図１
2005174530.tif 000002
【特許請求の範囲】
【請求項１】
着脱自在の記録媒体に電子データを記録可能な電子データ記録装置において、
上記記録媒体を装着するための装着部と、
少なくとも上記装着部に上記記録媒体が装着されていない状態で、上記記録媒体と無線通信を行う無線通信手段と、
上記無線通信手段を介して、上記記録媒体から上記記録媒体の状態データを読み出す読出手段と、
上記状態データに基づいて、上記記録媒体の状態、若しくは、上記記録媒体の記録内容に関する情報を表示する表示手段と、
を具備することを特徴とする電子データ記録装置。
【請求項２】
上記状態データは、上記記録媒体の残容量を表すデータであって、上記表示手段は、上記残容量が所定量より少ない場合に警告表示を行うことを特徴とする請求項１に記載の電子データ記録装置。
【請求項３】
上記状態データは、上記記録媒体に記録されているデータファイルの作成日を表すデータであって、上記表示手段は、上記データファイルの作成日を表示することを特徴とする請求項１に記載の電子データ記録装置。
【請求項４】
上記状態データは、上記記録媒体に記録されているデータファイルのファイル名を表すデータであつて、上記表示手段は、上記データファイルのファイル名を表示することを特徴とする請求項１に記載の電子データ記録装置。
【請求項５】
上記記録媒体が上記電子データ記録装置に装着されている状態において、上記無線通信手段を介して上記記録媒体に上記状態データを記録する記録制御手段を具備したことを特徴とする請求項１に記載の電子データ記録装置。
【請求項６】
上記電子データ記録装置は、カメラまたはＰＤＡであり、上記電子データは、画像、音声、または、文章情報であることを特徴とする請求項１に記載の電子データ記録装置。
【請求項７】
電子データ記録装置に着脱自在の記録媒体において、
複数のデータファイルを記録可能な第一データ記憶部と、
上記第一データ記憶部の状態データを記憶可能な第二データ記録部と、
上記電子データ記録装置に装着されていない状態において、上記第二データ記憶部に記憶された上記状態データを上記電子データ記録装置に無線送信する無線通信部と、
を具備したことを特徴とする記録媒体。
【請求項８】
上記無線通信部は、上記電子データ記録装置から非接触で電力供給を受けることを特徴とする請求項７に記載の記録媒体。
【請求項９】
上記無線通信部は、上記電子データ記録装置から発せられた磁界によって電力を発生させる手段を有していることを特徴とする請求項８に記載の記録媒体。
【請求項１０】
上記無線通信部は、上記磁界を受けるためのアンテナを具備していることを特徴とする請求項９に記載の記録媒体。
【請求項１１】
上記第一データ記憶部としての不揮発性メモリと、
上記第二データ記憶部としての不揮発性メモリ、および、上記無線通信部とを含むＩＣタグと、
を具備することを特徴とする請求項７に記載の記録媒体。
【請求項１２】
着脱自在の記録媒体に電子データを記録する電子データ記録装置において、
上記記録媒体は、
主データとしての第一データを記録するための第一データ記憶部と、
状態データとしての第二データを記憶するための第二データ記憶部と、
第一の無線通信部と、
を具備しており、
上記電子データ記録装置は、
上記第一の無線通信部と通信可能な第二の無線通信部と、
上記着脱自在の記録媒体が上記電子データ記録装置に少なくとも装着されていない状態において、上記第一および第二の無線通信部を介して上記第二データ記憶部から上記状態データを読み出す読み出し部と、
上記状態データに基づいて所定の表示動作を行う表示部と、
を具備したことを特徴とする電子データ記録装置。
【請求項１３】
上記表示部は、上記第一データ記憶部の残容量、若しくは、上記第一データ記録部に記録されているデータファイルのインデックスを表示することを特徴とする請求項１２に記載の電子データ記録装置。
【発明の詳細な説明】
【技術分野】
【０００１】
本発明は、メモリ装置としての記録媒体と、この記録媒体に電子データを記録可能な電子データ記録装置に関する。
【背景技術】
【０００２】
電子データを着脱自在のメモリ装置（記録媒体）に記録可能な電子データ記録装置として、撮像素子で撮像した被写体像をデジタル変換して記録媒体であるメモリカードに記録するデシタルカメラ等の撮像装置があり、また、各種の電子データをメモリカート゛や磁気記録媒体に記録するストレージ装置等かある。
【０００３】
一般に、この種の装置は、記録媒体に記録されているデータを読み出して表示したり、そのデータに基づいて動作する等の機能を有している。例えば、特許文献１に開示されたデジタルカメラは、記録媒体の残容量をカメラ内の制御部にてモニタして、上記残容量が少なくなった状態で警告表示を行うようになっている。
【０００４】
また、特許文献２に開示されたデジタルカメラは、記録されている画像データをサムネイル表示する機能を有している。
【特許文献１】特許文献１は、特開平６−３５０９５０号公報である。
【特許文献２】特許文献２は、特開平１１−３１７９３０号公報である。
【発明の開示】
【発明が解決しようとする課題】
【０００５】
通常の記録媒体は、内部にどのようなデータが記録されているかとか、残容量はどれくらいであるか等を外観上から識別できない。したがって、それを確認するためにはその記録媒体を実際にデジタルカメラ等の電子データ記録装置に装着し、上記特許文献に開示されたような方法で確認するしかない。
【０００６】
しかし、このような作業は非常に煩わしいものであり、デジタルカメラであれば、シャツタチャンスを逃がす等の問題が問題が生じる。
【０００７】
本発明は、上述した問題を解決するためになされたものてあって、記録媒体装着前に該記録媒体の記録内容や残容量等の情報を認識することかできる電子データ記録装置を提供することを目的とする。
【課題を解決するための手段】
【０００８】
本発明の請求項１に記載の電子データ記録装置は、着脱自在の記録媒体に電子データを記録可能な電子データ記録装置において、上記記録媒体を装着するための装着部と、少なくとも上記装着部に上記記録媒体が装着されていない状態で、上記記録媒体と無線通信を行う無線通信手段と、上記無線通信手段を介して、上記記録媒体から上記記録媒体の状態データを読み出す読出手段と、上記状態データに基づいて、上記記録媒体の状態、若しくは、上記記録媒体の記録内容に関する情報を表示する表示手段とを具備する。
【０００９】
本発明の請求項２に記載の電子データ記録装置は、請求項１に記載の電子データ記録装置において、上記状態データは、上記記録媒体の残容量を表すデータであって、上記表示手段は、上記残容量が所定量より少ない場合に警告表示を行う。
【００１０】
本発明の請求項３に記載の電子データ記録装置は、請求項１に記載の電子データ記録装置において、上記状態データは、上記記録媒体に記録されているデータファイルの作成日を表すデータであって、上記表示手段は、上記データファイルの作成日を表示する。
【００１１】
本発明の請求項４に記載の電子データ記録装置は、請求項１に記載の電子データ記録装置において、上記状態データは、上記記録媒体に記録されているデータファイルのファイル名を表すデータであつて、上記表示手段は、上記データファイルのファイル名を表示する。
【００１２】
本発明の請求項５に記載の電子データ記録装置は、請求項１に記載の電子データ記録装置において、上記記録媒体が上記電子データ記録装置に装着されている状態において、上記無線通信手段を介して上記記録媒体に上記状態データを記録する記録制御手段を具備する。
【００１３】
本発明の請求項６に記載の電子データ記録装置は、請求項１に記載の電子データ記録装置において、上記電子データ記録装置がカメラまたはＰＤＡであり、上記電子データは、画像、音声、または、文章情報である。
【００１４】
本発明の請求項７に記載の記録媒体は、電子データ記録装置に着脱自在の記録媒体において、複数のデータファイルを記録可能な第一データ記憶部と、上記第一データ記憶部の状態データを記憶可能な第二データ記録部と、上記電子データ記録装置に装着されていない状態において、上記第二データ記憶部に記憶された上記状態データを上記電子データ記録装置に無線送信する無線通信部とを具備する。
【００１５】
本発明の請求項８に記載の記録媒体は、請求項７に記載の記録媒体において、上記無線通信部は、上記電子データ記録装置から非接触で電力供給を受ける。
【００１６】
本発明の請求項９に記載の記録媒体は、請求項８に記載の記録媒体において、上記無線通信部は、上記電子データ記録装置から発せられた磁界によって電力を発生させる手段を有している。
【００１７】
本発明の請求項１０に記載の記録媒体は、請求項９に記載の記録媒体において、上記無線通信部は、上記磁界を受けるためのアンテナを具備している。
【００１８】
本発明の請求項１１に記載の記録媒体は、請求項７に記載の記録媒体において、上記第一データ記憶部としての不揮発性メモリと、上記第二データ記憶部としての不揮発性メモリ、および、上記無線通信部とを含むＩＣタグとを具備する。
【００１９】
本発明の請求項１２に記載の記録媒体は、着脱自在の記録媒体に電子データを記録する電子データ記録装置において、上記記録媒体は、主データとしての第一データを記録するための第一データ記憶部と、状態データとしての第二データを記憶するための第二データ記憶部と、第一の無線通信部とを具備しており、上記電子データ記録装置は、上記第一の無線通信部と通信可能な第二の無線通信部と、上記着脱自在の記録媒体が上記電子データ記録装置に少なくとも装着されていない状態において、上記第一および第二の無線通信部を介して上記第二データ記憶部から上記状態データを読み出す読み出し部と、上記状態データに基づいて所定の表示動作を行う表示部とを具備している。
【００２０】
本発明の請求項１３に記載の電子データ記録装置は、請求項１２に記載の電子データ記録装置において、上記表示部は、上記第一データ記憶部の残容量、若しくは、上記第一データ記録部に記録されているデータファイルのインデックスを表示する。
【発明の効果】
【００２１】
本発明によれば、電子データ記録装置に記録媒体を装着する前に該記録媒体の記録内容や残容量等の情報を認識することができる電子データ記録装置または記録媒体を提供できる。
【発明を実施するための最良の形態】
【００２２】
以下、図を用いて本発明の実施形態等について説明する。  
図１は、本発明の第一の実施形態としての電子データ記録装置の概要を示すブロック構成図である。
【００２３】
図１に示す本実施形態の電子データ記録装置１は、記録媒体２が着脱可能であって、記録媒体２に画像データ、または、他の各種のデータの書き込み、または、消去が可能な装置である。この電子データ記録装置１としては、例えば、デジタルカメラ，携帯電話，ＰＤＡ等が適用可能である。
【００２４】
図１に示すように電子データ記録装置１は、管理データおよび一般データ（主データ）からなる第一データを生成するための第一データ生成部３と、第一データを記録するための第一データ記録部４と、第一データ読み出し部５と、残容量判定部６と、残容量や対応機種等を示す第二データを無線通信により後述する第二データ記憶部１５に記録するための第二データ記録部７と、記録媒体２の残容量データである第二データを無線通信により後述する第二データ記憶部１５から読み出す手段としての第二データ読み出し部８と、装着済みまたは装着前の状態の記録媒体２との無線通信を行うための第二の無線通信部９と、比較部１０と、警告表示を行う手段である警告表示部１１と、装着されている記録媒体２と電気的接続が可能なコネクタ部１２とを有してなる。
【００２５】
また、記録媒体２は、メモリカード等からなり、第一データを記憶するための主要記憶部である第一データ記憶部１３と、第二データに関して第二の無線通信部９を介して電子データ記録装置１と無線通信を行うための第一の無線通信部１４と、第二データを記憶するための第二データ記憶部１５と、コネクタ部１２と電気的接続が可能な接点部１６とを有してなる。
【００２６】
電子データ記録装置１において、第一データ生成部３は、管理データと一般データとからなる第一データを生成し、その第一データを第一データ記録部４に送る。上記管理データとは、装着されている記録媒体（装着記録媒体）２の全記憶容量および使用済み記憶容量をはじめ上記一般データの生成日時データ等の記録される一般データ管理に関するデータである。上記一般データとは、画像データや音声データや文章データ等の記録媒体に記録する記録対象データである。
【００２７】
記録媒体２の装着状態にて第一データ記録部４に記録されている第一データ（管理データ＋一般データ）は、コネクタ１２，接点部１６を介して記録媒体２の第一データ記憶部１３に書き込まれる。
【００２８】
そして、第一データ記憶部１３における記録済みの記憶容量を含む管理データが第一データ読み出し部５によって読み出される。管理データのうち、記録済みの記憶容量と記録媒体２の全記憶容量に基づいて残容量判定部６によって装着記録媒体２の記録可能な残容量データを含む第二データ（以下、状態データとも呼ぶ）が求められる。この第二データは、第二データ記録部７により第二の無線通信部９と第一の無線通信部１４とを介した無線通信によって記録媒体２の第二データ記憶部１５に書き込まれる。なお、第二データには、記録媒体が対応する記録装置の機種データや記録媒体に記録されているデータファイル名、このデータの作成日等も含まれる。
【００２９】
一方、メインスイッチオンの状態で電子データ記録装置１に別の記録媒体２を使用者が装着しようとする場合に記録媒体２を電子データ記録装置１のコネクタ部２に所定の距離まで近づけると（未装着状態）、第二の無線通信部９と第一の無線通信部１４との間で無線通信によるデータ授受が可能な状態になる。記録媒体２の第二データ記憶部１５に記録されている第二データ、すなわち、残容量データ等が第二の無線通信部９を通して電子データ記録装置１側の第二データ読み出し部８によって読み出される。読み出された第二データの中の残容量データは、比較部１０にて所定の容量値と比較される。その比較処理により第二データの残容量が所定の容量よりも少ないと判断されれば、当該記録媒体２を装着しても所定のデータ記録を行うことができない旨の警告が警告表示部１１で行われる。残容量が所定の容量以上あった場合は、警告表示がなされないので、使用者は、そのまま記録媒体２を電子データ記録装置に装着して、支障なく記録を行うことができる。なお、上述した電子データ記録装置１の一連の動作は、電子データ記録装置１に内蔵される制御部によりコントロールされる。また、電子データ記録装置１で読み取られた第二データにより当該記録媒体２が当該記録装置１に対応しない媒体であることが判明した場合も記録不可能である旨の警告表示がなされる。
【００３０】
上述したように電子データ記録装置１と該装置に着脱可能な記録媒体２とによれば、記録媒体２をコネクタ部１２に装着（コネクタ接続）する以前に記録媒体２の第二データが無線通信により読み出される。残容量が所定容量より少ない場合には、警告が発せられる。すなわち、記録媒体２を電子データ記録装置１にコネクタ接続する前にその記録媒体が残容量不足であることが解る。また、記録媒体が対応しないものであった場合には、記録不可能であることが解る。従って、前述した従来の電子データ記録装置のように記録媒体を装着した後でその記録媒体の残容量が少ないこと等が判別でき、再度記録媒体の着脱を繰り返さなければならないなどの記録媒体装着時の煩わしさが避けられる。
【００３１】
次に、本発明の第一の実施形態の電子データ記録装置をデジタルカメラに適用した例について、図２〜４を用いて説明する。  
図２は、本実施形態のデジタルカメラの外観を示す斜視図であり、図３は、上記デジタルカメラのブロック構成図である。図４は、上記デジタルカメラ用の画像記録媒体（メディア）に設けられるＩＣタグの構成図である。
【００３２】
本実施形態のデジタルカメラ２０は、カメラボディ２１と、該カメラボディに着脱可能なレンズ鏡筒２２とからなり、カメラボディ２１には、フラッシュメモリ等の不揮発性メモリを適用するメモリカードである記録媒体としての画像記録媒体（以下、メディアと記載する）８１が着脱可能である。
【００３３】
カメラボディ２１には、図２に示すようにボディ外装の前面側にレンズ鏡筒２２が装着可能であり、ボディ外装上面部にメインスイッチ８９（図３）操作用のメインスイッチ釦２３と、レリーズスイッチ９１（図３）操作用のレリーズスイッチ釦２５と、動作表示用ＬＣＤ７５と、ブザー開口部８５ａが配されている。また、ボディ外装の背面部にファインダ接眼窓２６と、モードスイッチ９０（図３）操作用のモード設定スイッチ釦２４と、画像表示用液晶モニタ（ＬＣＤ）６９とが配されている。ボディ外装の側面部に開閉可能な媒体（メディア）装着部蓋２８が配され、該蓋部内側には後述する通信コネクタ５３を有する記録媒体（メディア）装着部２７が設けられる。さらに、メディア装着部２７の近傍に第二の無線通信部となるアンテナ８４が配されている。また、ボディ外装内部には、メディア装着部蓋２８の開閉状態を検出するための蓋スイッチ９２（図３）が配されている。
【００３４】
カメラボディ２１内には、図３に示すように光学系として反射鏡３１，サブミラー３２，ペンタプリズム３８，接眼レンズ３９等からなる一眼レフレックス構成部材と、フォーカルプレーン式シャッタユニット３３とが配されている。また、撮像，測距系として撮像ユニット３４と、ＡＦセンサユニット４０とが配されている。
【００３５】
撮像ユニット３４は、撮像素子防塵保護用の透明ガラス材からなる防塵フィルタ３５と、防塵フィルタ駆動用圧電素子３６と、光軸Ｏ上に配され、上記光学系を通過した被写体像を光電変換するための撮像素子３７とを有してなる。
【００３６】
圧電素子３６は、防塵フィルタ３５を所定の周波数で振動させる加振手段の一部として、防塵フィルタ３５の周縁部に取り付けられている。そして、圧電素子３６は、２つの電極を有しており、加振手段の一部としての後述する防塵フィルタ駆動回路６６によって防塵フィルタ３５を振動させ、そのガラス表面に付着していた塵を除去するように構成されている。
【００３７】
また、カメラボディ２１内には、カメラボディ側の全制御を司るボディ制御用マイクロコンピュータ（以下、Bμcomと記載する）５１の他に、制御駆動系としてＡＦセンサ駆動回路６１と、ミラー駆動機構部６２と、シャッタチャージ機構部６３と、温度測定回路６７と、防塵フィルタ駆動回路６６と、測光回路６８と、不揮発性メモリ６５とが設けられる。また、画像処理系として、インターフェース回路７１と、画像処理コントローラ７２と、SDRAM７３と、FlashROM７４とが設けられる。表示系として画像表示用液晶モニタ（ＬＣＤ）６９と、動作表示用ＬＣＤ７５と、警告ブザー８５とが設けられ、操作スイッチ群としてメインスイッチ８９，モードスイッチ９０，レリーズスイッチ９１，蓋スイッチ９２等が設けられる。また、電源系として電池８７と、電源回路８８と、無線通信系としてリーダライタ回路８３と、第二の無線通信部の一部としてのアンテナ８４とが設けられ、さらに、通信コネクタ系としてレンズ鏡筒２２と接点部９８を介して電気接続するための通信コネクタ５２と、メディア装着部２７の装着されたメディア８１に対して接点部８１ｃを介して電気接続可能な通信コネクタ５３とが設けられる。
【００３８】
メディア（画像記録媒体）８１は、第一データを記憶する第一データ記憶部（主記憶部）としてのフラッシュメモリ部８１ａと、ＩＣタグ８２と、カメラ２０に装着したときカメラ側通信コネクタ５３に接続可能な接点部８１ｃを有している。
【００３９】
メモリ部８１ａに記憶される第一データは、撮影画像データと、各画像データに関する管理データとからなる。上記管理データは、メディア８１が対応するカメラボディの機種データ，撮影期日，画像データの大きさ，撮影条件，記録されているデータファイル名等のデータである。メモリ部８１ａは、上記撮影画像データが記憶されるデータ領域と、上記管理データが記憶される管理データ領域とに分けられる。上記管理データによってメモリ部８１ａの未使用領域の大きさ、すなわち、残容量を求めることが可能である。
【００４０】
ＩＣタグ８２は、図４に示すように第二データ（状態データ）である残容量データ、詳しくは、メモリ残容量データと当該メディアが対応可能なカメラボディ機種データ、および、記録内容に関する各種データとを記憶する第二データ記憶部としてのメモリ部８２ｃ，制御部８２ｂからなるＩＣチップ８２ａと、第一の無線通信部の一部としてのアンテナ８２ｄとを有する。
【００４１】
なお、カメラボディ２１のメインスイッチオン状態でメディア８１をメディア装着部２７の近傍に配されるカメラボディ側アンテナ８４に対して所定距離内に近づけると、カメラボディ側アンテナ８４からの磁界によってメディア８１側のＩＣタグ８２のアンテナ８２ｄに電圧が発生し、ＩＣタグ８２の制御部８２ｂを介してメモリ部８２ａが作動状態となり、メモリ部８２ａへの記録、読み出しが可能な状態となる。つまり、ＩＣタグ８２は、カメラボディ２１から非接触にて電力供給を受けて動作する。
【００４２】
Bμcom５１には、カメラ制御のための制御部の他に、撮影された第一データ（管理データを含む画像データ）を通信コネクタ５３を介してメディア８１側の第一データ記憶部のメモリ部８１ａに書き込むための第一データ記録部と、メモリ部８１ａに書き込まれた第一データを読み込む第一データ読み込み部と、その読み込まれた第一データの中の管理データ（画像データの大きさ）とメディア８１のメモリ部８１ａの全記憶容量とから残容量を判定する残容量判定部と、さらに、後述する無線通信を介してリーダライタ回路８３により読み出されたメモリ残容量データ、または、上記残容量判定部によって求められたメモリ残容量と所定の容量とを比較する比較部と、が内蔵されている。
【００４３】
リーダライタ回路８３は、Bμcom５１の指令によりメディア８１のＩＣタグのメモリ部８２ｃに第二データ（カメラボディ機種データとメモリ残容量データを含む）をアンテナ８４を介して無線通信により記録するための第二データ記録部と、メディア８１のメモリ部８２ｃから上記第二データ（カメラボディ機種データを含むメモリ残容量データ）をアンテナ８４を介して無線通信により読み出す第二データ読み出し部とを有してなる。
【００４４】
ＡＦセンサ駆動回路６１は、ＡＦセンサユニツト４０を駆動制御し、ＡＦセンサの出力は、Bμcom５１に測距信号として取り込まれる。ミラー駆動機構部６２は、反射鏡３１を駆動制御し、非撮影時、撮影光路上にある反射鏡３１を撮影時に撮影光路から退避させる。シャッタチャージ機構部６３は、シャッタユニット３３の先幕と後幕を駆動するためのばね力をチャージし、シャッタ制御回路６４によってそれら先幕と後幕の動きが制御される。測光回路６８は、ペンタプリズム３８からの光束に基つき測光処理を行い、その測光出力は、Bμcom５１に取り込まれる。温度測定回路６７は、防塵フィルタ３５の近傍に設けられ、撮像素子３７の周辺の温度を測定する。
【００４５】
インターフェイス回路７１は、撮像素子３７に接続されており、このインターフェイス回路７１を介して得られた被写体の撮像信号は、画像処理コントローラ７２によって記憶領域として設けられたSDRAM７３やFlashROM７４を利用して画像処理される。
【００４６】
不揮発性メモリ６５は、EEPROMからなり、カメラ制御に必要な所定の制御パラメータを記憶する不揮発性記憶手段として、Bμcom５１からアクセス可能に設けられている。
【００４７】
電源回路８８は、電池８７の電圧を、当該カメラシステムを構成する各回路ユニットが必要とする電圧に変換して供給する。
【００４８】
レンズ鏡筒２２には、光軸Ｏを有する撮影レンズ４１と、絞り部４２と、レンズ制御用マイクロコンピュータ（以下、Lμcomと記載する）９５と、レンズ駆動部９６と、絞り駆動部９７と、通信コネクタ５３に電気接続可能な接点部９８とが配されている。
【００４９】
レンズ鏡筒２２は、カメラボディ２１に装着された場合、通信コネクタ５３を介してLμcom９５がカメラボディ側のBμcom５１に接続され、Bμcom５１の指示に従属してLμcom９５が制御され、該Lμcom９５によりレンズ鏡筒２２内の制御が行われる。
【００５０】
撮影光学系４１は、レンズ駆動機構９６内に配されたＤＣモータ（図示せず）によって駆動される。また、絞り４２は、絞り駆動機構９７内に配されたステッピングモータ（図示せず）によって駆動される。Lμcom９５、Bμcom５１からの指令に従って、これらの各モータが駆動される。
【００５１】
上述した構成を有するデジタルカメラ２０による撮影動作の概要を説明すると、まず、カメラボディ２１にレンズ鏡筒２２を装着し、さらに、メディア装着部２７にメディア８１を装着する（メディア８１が通信コネクタ５３で接続された状態）。上記装着状態でメインスイッチ８９をオンとすると、Bμcom５１およびLμcom９５の制御のもとで撮影シーケンスが開始される。そして、レリーズスイッチ９１の１st操作で測光，測距が実行され、さらに、レンズ鏡筒２２のレンズ駆動および絞り駆動が行われる。そこで、レリーズスイッチ９１の２nd操作によって被写体像が撮像素子３７に取り込まれ、撮像信号に変換される。そして、画像コントローラ７２によって第一データである撮影画像データは、SDRAMに格納される。上記画像データと管理データとは、通信コネクタ５３を介してメディア８１のメモリ部８１ａに書き込まれる。書き込み後、メモリ８１ａの管理データが通信コネクタ５３を介してBμcom５１に取り込まれる。Bμcom５１にて上記取り込まれた管理データに含まれる書き込み済み容量とメディアの全記憶容量とから第二データであるメモリ残容量データが算出される。その残容量データは、対応カメラボディ機種データとともにリーダライタ８３によりアンテナ部８４とメディア８１側ＩＣタグ８２のアンテナ部８２ｄを介してメモリ８２ｃに記録される。
【００５２】
一方、カメラボディ２１に別のメディア８１を撮影者が装着する場合、メインスイッチ８９のオン状態のもとでメディア装着部蓋２８の開放または閉じ状態（メディア未装着）にてメディア８１をメディア装着部２７に所定距離内に近づけると、カメラボディ側アンテナ８４と、メディア８１側ＩＣタグ８２のアンテナ８２ｄとを介した無線通信によってメモリ部８２ａに記録されている残容量データ（対応カメラボディ機種データを含む）がリーダライタ８３により読み出され、Bμcom５１に取り込まれる。Bμcom５１で上記残容量データが所定の容量データと比較される。上記残容量が所定の容量に対して不足している場合、Bμcom５１は、装着しようとしているメディア８１では撮影が困難であると判断して、警告ブザー８５を発音させ、撮影困難であることを撮影者に知らせる。その警告は、画像表示用液晶モニタ６９や動作表示用ＬＣＤ７５に同時表示させてもよい。なお、残容量データに含まれる対応カメラボディ機種データにより当該カメラボディが対応できないのと判断された場合も上記警告表示がなされる。
【００５３】
上記残容量が所定の容量より多ければ、Bμcom５１は、上記警告表示を行わせず、撮影者は、そのまま当該メディア８１をメディア装着部２７に装着して撮影を行うことができる。
【００５４】
なお、メディア８１をメディア装着部２７に装着した状態（通信コネクタ接続状態）でメディア８１の残容量データをカメラボディ２１側に取り込むには、上述したように通信コネクタ５３を介して、メディア８１のメモリ部８１ａから管理データを読み込み、該管理データからメディア８１の残容量が求められる。
【００５５】
上述した本実施形態のデジタルカメラ２０による撮影シーケンス処理について図５〜７のフローチャートを用いてさらに詳細に説明する。  
図５は、上記デジタルカメラの撮影シーケンスのメイン処理のフローチャートである。図６は、図５のメイン処理で呼び出されるサブルーチンのメディア交換処理のフローチャートである。図７は、図５のメイン処理で呼び出されるサブルーチンのレリーズ処理のフローチャートである。
【００５６】
レンズ鏡筒２２が装着されたカメラボディ２１にメディア８１を装着した状態において、メインスイッチ８９をオンとすると、図５に示すメイン処理がスタートする。このメインルーチンの各ステップは、Bμcom５１の制御により処理される。ステップＳ１でサブルーチンの残容量チェックが行われる。この場合、メディアのメモリ残容量は、メディア８１がすでに装着状態にあるので通信コネクタ５３を介して読み込まれる管理データより求められる。ステップＳ２の判別で上記メモリ残容量が所定量（例えば、１画像記録可能な容量）以上であれば、ステップＳ３に進むが、上記メモリ残容量が所定量に不足する場合、ステップＳ１１に進む。
【００５７】
ステップＳ１１に進んだ場合、警告表示Ａの処理が実行される。この警告表示Ａの処理では、警告ブザー８５より所定音の発音が所定時間行われる。同時に液晶モニタ６９、または、動作表示用ＬＣＤ７５にメディアのメモリ残容量が不足ため、または、後述するようにメディア不適合のために撮影不可能である旨の表示がなされる。ステップＳ１２において、撮影者がメディアを差し替えるためにメディア装着部蓋２８の開放したことが蓋開閉検出用蓋スイッチ９２によって確認された場合、ステップＳ１３にてサブルーチンのメディア交換処理が呼び出され、Bμcom５１の制御のもとで該メディア交換処理が実行される。
【００５８】
上記メディア交換処理においては、図６に示すようにステップＳ２０にてメディア８１のＩＣタグ８２に対してアンテナ８４を介して無線通信によりメモリ残容量データを読み込むための要求信号が出力される。ステップＳ２１で上記要求信号に対するＩＣタグ８２からの返信の有無をチェックする。ＩＣタグ８２より返信信号が得られない場合は、ステップＳ３０にてメディア装着部蓋の開閉状態を蓋スイッチ９２によりチェックし、閉状態になっておれば、撮影者が別のメディア８１を装着せずに装着部蓋を閉じたと判断し、メインルーチンのステップＳ１に戻る。
【００５９】
ステップＳ２１にて上記返信信号が確認された場合、すなわち、撮影者が別のメディア８１をカメラボディ２１のメディア装着部２７の近傍に近づけることによってＩＣタグ８２からの返信信号がアンテナ８２ｄ，８４を介して得られた場合、ステップＳ２２に進む。
【００６０】
ステップＳ２２では、無線通信によりＩＣタグ８２のメモリ部８２ｂに記録されているメモリ残容量データと対応カメラボディ機種データとがリーダライタ８５を介してBμcom５１に取り込まれる。ステップＳ２３にてメディアが正しくない、すなわち、カメラボディ２１に対応していないと判断された場合、あるいは、ステップＳ２４でメディア８１のメモリ残容量が所定量以上あるかがチェックされ、所定量（例えば、１画像記録可能な容量）未満であった場合、ステップＳ２９にジャンプして警告表示Ａを行ってメインルーチンのステップＳ１２に戻る。ステップＳ２３にて正しい（メディアが対応している）と判断された場合、または、ステップＳ２４でメディア８１のメモリ残容量が所定量以上あると判断された場合、ステップＳ２５に進む。
【００６１】
ステップＳ２５では、上記メモリ残容量により何枚撮影可能であるかが演算される。ステップＳ２６で上記撮影可能枚数が５枚以上であるかをチェックし、５枚以上であれば、ステップＳ２８にジャンプするが、５枚以上でなければ、ステップＳ２７に進み、警告表示Ｂを実行する。この警告表示Ｂは、前記警告表示Ａに比べて異なる音が警告ブザー８５より発音される。同時に液晶モニタ６９、または、動作表示用ＬＣＤ７５にメディアの撮影可能枚数が５枚、または、５枚以下である旨の表示がなされる。
【００６２】
ステップＳ２８では、メディア装着部蓋２８が撮影者によって閉じられたかを蓋スイッチ９２によってチェックし、閉じられていれば、画像記録可能なメディア８１に交換されたものとして本サブルーチンから図５のメインルーチンのステップＳ８に戻る。閉じられていなければ、本サブルーチンのステップＳ２０に戻る。
【００６３】
メインルーチンのステップＳ８に戻った場合、メインスイッチ８９がオフされたかチェックし、オフであれば、本ルーチンを終了し、カメラ停止状態とする。オフでなければ、ステップＳ３に戻る。
【００６４】
上記メインルーチンのステップＳ２の判別でメディア８１のメモリ残容量が所定量（例えば、１画像記録可能な容量）以上であり、ステップＳ３に進んだ場合、操作スイッチ群のオンオフ状態が読み込まれる。そして、ステップＳ４でモードスイッチ９０のオン操作が検出され、メニュー選択がなされたと判別した場合、ステップＳ１０にジャンプして、サブルーチンのメニュー選択処理が実行され、その後、ステップＳ８に進む。ステップＳ５でレリーズスイッチ９１の１stスイッチがオン操作が検出された場合、ステップＳ９にジャンプして、サブルーチンのレリーズ処理が呼び出される。さらに、ステップＳ６にてメディア装着部蓋２８が開いているか、蓋スイッチ９２によりチェックされる。開いていれば、ステップＳ７で前述したサブルーチンのメディア交換処理が呼び出される。開いていなければ、そのまま、ステップＳ８にジャンプする。
【００６５】
上記サブルーチンレリーズ処理は、Bμcom５１およびLμcom９５の制御のもとで処理され、図７に示すようにステップＳ４０，４１にて測光処理、および、焦点調節処理が行われる。すなわち、測光回路６９による測光が行われ、絞りの設定やシャッタ秒時の設定がなされる。続いて、ＡＦセンサ４０による測距データに基づき、Lμcom９５の指示に従って、レンズ駆動機構９６による撮影レンズ４１の合焦駆動が実行され、ステップＳ４２に進む。
【００６６】
ステップＳ４２でレリーズスイッチ９１の２ndスイッチのオンオフがチェックされ、オンが検出された場合、ステップＳ４３，４４に進むが、オンが検出されなかった場合、ステップＳ４８にジャンプする。ステップＳ４８にて、レリーズスイッチ９１の１stスイッチのオンオフがチェックされ、オンであれば、ステップＳ４２に戻るが、オンでなければ、本サブルーチンを終了し、上記メインルーチンのステップＳ８に戻る。
【００６７】
ステップＳ４３，４４では、撮影レンズ４１を介して取り込まれた被写体像が撮像素子３７によって撮像信号に変換され、画像コントローラ７２等により撮影画像信号として処理され、通信コネクタ５３を介してメディア８１のメモリ部８１ａに画像信号データおよび管理データが書き込まれる。
【００６８】
続いて、ステップＳ４５にて通信コネクタ５３を介してメディア８１のメモリ部８１ａより管理データを読み出され、メモリ部８１ａのメモリ残容量がBμcom５１で求められる。ステップＳ４６にて上記残容量によるメモリ残容量データがリーダライタ８３，アンテナ８４を介してメディア８１側のＩＣタグ８２のメモリ部８２ｃに記録される。また、ステップＳ４７で上記メモリ残容量データがチェックされ、メモリ残容量が所定量以下であった場合、上記メインルーチンのステップＳ１１にジャンプして警告表示Ａを行う。残容量が所定量、または、それ以上であった場合、本サブルーチンを終了し、メインルーチンのステップＳ８に戻る。
【００６９】
上述した本実施形態のデジタルカメラ２０によれば、メディア８１をカメラボディ２１に装着する際、メディア装着部２７に挿入する以前の状態（カメラボディと非接触状態）で無線通信によってメディア８１のメモリ残容量情報、さらに、当該メディアがカメラボディ２０に適合するものであるかの情報がカメラボディ２０側に取り込まれる。従って、撮影画像が記録できないようなメディアをメディア装着部２７に挿入した後、もう一度メディアの差し替えを行うといった煩わしさがなくなり、使い勝手のよいデジタルカメラを提供できる。また、メディア８１に取り付けられる残容量データ記憶用のメモリとしてチップ状のＩＣタグ８２を適用することからメディアの形状が大型化することなく、メディアの取り扱いに不便をきたすことはない。
【００７０】
なお、上述した第一の実施形態のデジタルカメラ２０においては、メインスイッチオンの状態でメディア８１をメディア装着部２７近傍に近づけることによってＩＣタグのメモリ部８２ｃの第二データを取り込み可能としてが、そのメインスイッチオンの状態を、例えば、メディア装着部蓋の開閉を検出する蓋検出スイッチのオン信号で一時的にメインスイッチオン状態とするように構成すれば、上記第二データの読み出しがより容易になる。
【００７１】
次に、本発明の第一の実施形態の電子データ記録装置をＰＤＡ装置（個人用情報端末装置）に適用した例について、図８を用いて説明する。  
図８は、本実施形態のＰＤＡ装置の外観を示す斜視図である。
【００７２】
本ＰＤＡ装置１００は、装置本体上にメインスイッチ（釦）１０２，モード設定スイッチ（釦）１０６や記録，消去スイッチ（釦）等と、タッチパネル式表示部（ＬＣＤ）１０３と、装置本体の側面部にメディア１０１を装着するためのメディア装着部１０５とが配されている。また、装置本体内部に装着される電気制御部として、本ＰＤＡ装置の制御を司る制御部であるμcom１０８と、メディア１０１への第一データを生成，記録する第一データ生成記録部１０９と、メディア装着部１０５近傍に配される第二の無線通信部のアンテナ部１０４と、メディア装着部１０５に配される通信コネクタ部１０５ａと、警告表示部である警告ブザー１０７とが設けられる。
【００７３】
なお、本ＰＤＡ装置では、スタイラスペン１１１の先端をタッチパネル式表示部（ＬＣＤ）１０３上の任意の入力ポイントに接触してデータ入力が行われる。上記第一データは、入力された記録すべき記録対象データと、該データに関する記録日時や記録容量等に関する管理データとからなる。
【００７４】
記録媒体であるメディア１０１は、上記第一データを記憶する第一データ記憶部（主記憶部）としてのフラッシュメモリ部１０１ａと、ＩＣタグ１１０と、ＰＤＡ装置１００に装着したとき、ＰＤＡ側通信コネクタ１０５ａと接続可能な接点部とを有している。
【００７５】
ＩＣタグ１１０は、第二実施形態に示したメディア８１に適用されたＩＣタグ８２と同様の構成のものであり、第二データで表される残容量データ、詳しくは、メモリ残容量データと当該メディアが対応可能なＰＤＡ装置の機種データとを記憶する第二データ記憶部としてのメモリ部１１０ｃおよび制御部からなるＩＣチップと、第一の無線通信部としてのアンテナ１１０ｄとを有する。
【００７６】
上記ＰＤＡ装置側のμcom１０８には、装置全体の制御のための制御部の他に、入力された第一データ（管理データを含む記録データ）を通信コネクタ１０５ａを介してメディア１０１のメモリ部１０１ａに書き込むための第一データ記録部と、メディア側メモリ部１０１ａに書き込まれた第一データを読み込む第一データ読み込み部と、その読み込まれた第一データの中の管理データ（画像データの大きさ）とメディア側メモリ部８１ａの全記憶容量とから残容量を判定する残容量判定部と、さらに、後述する無線通信を介して読み出されたメモリ残容量データ、または、上記残容量判定部によって求められたメモリ残容量と所定の容量とを比較する比較部とが内蔵されている。
【００７７】
上述した構成を有する本実施形態のＰＤＡ装置１００においては、μcom１０８の制御のもとでメディア１０１へのデータ記録が実行される。すなわち、メディア１０１をメディア装着部１０５に装着した状態でタッチパネル表示部１０３上にてスタイラスペン１１１によって記録すべき記録データを入力する。μcom１０８の制御のもとでデータ生成記録部１０９に生成されている管理データを含む記録データが通信コネクタ１０５ａを介してメディア１０１のメモリ部１０１ａに記録される。同時に装置側アンテナ部１０４とメディア側アンテナ部１１０ｄを介した無線通信によって上記管理データから求められるメディア側メモリ部１０１ａの未使用メモリ容量を示す残容量データがＩＣタグ１１０のメモリ部１１０ｃに記録される。
【００７８】
別のメディア１０１を入れ替えて装着する際には、メインスイッチオン状態で使用者が上記別のメディア１０１をメディア装着部１０５に近づけると（非装着状態）、装置側アンテナ部１０４とメディア側アンテナ部１１０ｄを介した無線通信による第二データの読み出しが実行される。
【００７９】
上記無線通信による第二データの読み出しでは、μcom１０８の制御のもとでＩＣタグ１１０のメモリ部１１０ｃに記録されている第二データが上記無線通信によってＰＤＡ装置１００側に取り込まれる。上記第二データによってメディア１０１のメモリ部１０１ａの残容量が求められる。上記残容量がチェックされ、所定の容量以下であった場合、警告ブザーが警告を発する。同時に表示部１０３にて残容量が所定容量以下であることの表示がなされる。また、第二データに含まれる機種データが当該ＰＤＡ装置１００に適用しないものであれば同様に警告を発する。機種データが適合し、かつ、残容量が所定容量、または、それ以上であった場合、上記警告を発することがなく、使用者は、そのままメディア１０１をメディア装着部１０５に装着してデータ入力を行うことができる。
【００８０】
上記ＰＤＡ装置１００によれば、上記デジタルカメラ２０の場合と同様にメディア１０１をＰＤＡ装置１００に装着する際、メディア装着部１０５に挿入する前の状態（ＰＤＡ装置と非接触状態）で無線通信によってメディア１０１のメモリ残容量情報、さらに、当該メディアがＰＤＡ装置１００に適合するものであるかの情報がＰＤＡ装置１００側に取り込まれる。記録に不適なメディアを装着した後、更に、もう一度メディアを装填しなければならないといったことがなく、使い勝手のよいＰＤＡ装置１００を提供することができる。
【００８１】
次に、本発明の第二の実施形態としての電子データ記録装置について、図９を用いて説明する。  
図９は、本実施形態の電子データ記録装置の概要を示すブロック構成図である。
【００８２】
図９に示す電子データ記録装置１２１は、記録媒体２１１が着脱可能であって、記録媒体２１１に画像データ、または、他の各種のデータの書き込み、または、消去が可能な装置である。この電子データ記録装置１２１としては、例えば、デジタルカメラ，携帯電話，ＰＤＡ等が適用可能である。
【００８３】
図９に示すように電子データ記録装置１２１は、管理データおよび一般データ（主データ）からなる第一データを生成するための第一データ生成部１２３と、第一データを記録するための第一データ記録部１２４と、第一データ読み出し部１２５と、第二データ生成部１２６と、記録媒体２１１に記録されているデータの内容等を関する第二データ（状態データ）を無線通信により後述する第二データ記憶部２１５に記録するための第二データ記録部１２７と、記録媒体２１１の記録内容に関するデータである第二データを無線通信により後述する第二データ記憶部２１５から読み出す手段としての第二データ読み出し部１２８と、装着済みまたは装着前の状態の記録媒体２１１との無線通信を行うための第二の無線通信部１２９と、第二データ読み出し部１２８で読み出した第二データを所定のフォーマットで表示する表示部１３０と、装着されている記録媒体２１１と電気的接続が可能なコネクタ部１２２とを有してなる。
【００８４】
また、記録媒体２１１の構成は、図１で示した記録媒体２と同様であるので、詳細な説明は省略する。
【００８５】
電子データ記録装置１２１において、第一データ生成部１２３は、管理データと一般データとからなる第一データを生成し、その第一データを第一データ記録部１２４に送る。上記管理データとは、上記一般データの生成日時やデータファイル名等の記録される一般データ管理に関するデータである。上記一般データとは、画像データや音声データや文章データ等の記録媒体に記録する記録対象データである。
【００８６】
記録媒体２１１の装着状態にて第一データ記録部１２４に記録されている第一データ（管理データ＋一般データ）は、コネクタ１２２，接点部２１６を介して記録媒体２１１の第一データ記憶部２１３に書き込まれる。
【００８７】
そして、第一データ記憶部２１３に記憶されているデータファイルに関する管理データが第一データ読み出し部１２５によって読み出される、第二データ生成部１２６にて第二データに変換される。ここで、第二データは、第一データ記憶部の記録内容、つまり、その時点で記録媒体２１１に記録されているデータファイルのファイル名や生成日時等を表す状態データである。
【００８８】
この第二データは、第二データ記録部１２７により第二の無線通信部１２９と第一の無線通信部２１４とを介した無線通信によって記録媒体２１１の第二データ記憶部２１５に書き込まれる。
【００８９】
一方、メインスイッチオンの状態で電子データ記録装置１２１に別の記録媒体２１１を使用者が装着しようとする場合に、記録媒体２１１を電子データ記録装置１２１のコネクタ部１２２に所定の距離まで近づけると（未装着状態）、第二の無線通信部１２９と第一の無線通信部２１４との間で無線通信によるデータ授受が可能な状態になる。記録媒体２１１の第二データ記憶部２１５に記録されている第二データが第二の無線通信部１２９を通して電子データ記録装置１２１側の第二データ読み出し部１２８によって読み出される。読み出された第二データは、表示部１３０にて所定のフォーマットで表示される。
【００９０】
なお、上述した電子データ記録装置１２１の一連の動作は、電子データ記録装置１２１に内蔵される制御部によりコントロールされるが、これについては上述した第１の実施形態と同様である。
【００９１】
上述したように電子データ記録装置１２１と該装置に着脱可能な記録媒体２１１とによれば、記録媒体２１１をコネクタ部１２２に装着（コネクタ接続）する以前に記録媒体２１１の第二データが無線通信により読み出される。読み出された第二データ（すなわち、記録媒体２１１に記録されているデータファイルのファイル名や生成日時に関するデータ）が所定のフォーマットで表示部１３０にて表示される。すなわち、記録媒体２１１を電子データ記録装置１２１にコネクタ接続する前にその記録媒体にどのようなデータファイルが記録されているかが解る。
【００９２】
次に、本発明の第二の実施形態の電子データ記録装置をデジタルカメラに適用した例について、図１０の上記デジタルカメラを背面側から見た斜視図を用いて説明する。
【００９３】
このデジタルカメラ２０Ａの構成は、図２に示したものと同様であるが、第二のデータに基づく表示を行う表示部１３０（図９）として画像表示用液晶モニタ６９を使用する点が異なっている。
【００９４】
つまり、本発明の第二の実施形態を適用したデジタルカメラ２０Ａにおいては、メディア８１をカメラボディ２１に装着する際、メディア装着部２７に挿入する以前の状態（カメラボディと非接触状態）で無線通信によってメディア８１の記録内容（記録されているデータファイルのファイル名や生成日時等）がカメラボディ２０側に取り込まれる。そして、そのデータは、表示に適した形態に変換され、図１０に示すように液晶表示モニタ６９上に表示される。ここで、該モニタ６９に表示される図１０の表示データ３０１は、メディア８１に記録されているデータファイル名であり、図１０の表示データ３０２は、そのデータファイルの生成日である。
【００９５】
従って、このデジタルカメラ２０Ａの使用者は、メディア８１をメディア装着部２７に挿入しなくてもそのメディアに記録されている内容を確認できるので、使用禁止のメディアを誤って装填してしまうような問題も発生せず、使い勝手のよいデジタルカメラを提供できる。
【産業上の利用可能性】
【００９６】
本発明による電子データ記録装置は、記録媒体を装着する前に該記録媒体の残容量等の情報を認識することができ、記録媒体の装着操作に煩わしさがない電子データ記録装置として利用可能である。
【図面の簡単な説明】
【００９７】
【図１】本発明の第一の実施形態である電子データ記録装置の概要を示すブロック構成図である。
【図２】図１の電子データ記録装置を適用したデジタルカメラの外観を示す斜視図である。
【図３】図２のデジタルカメラのブロック構成図である。
【図４】図２のデジタルカメラ用の画像記録媒体（メディア）に設けられるＩＣタグの構成図である。
【図５】図２のデジタルカメラの撮影シーケンスのメイン処理のフローチャートである。
【図６】図５のメイン処理で呼び出されるサブルーチンのメディア交換処理のフローチャートである。
【図７】図５のメイン処理で呼び出されるサブルーチンのレリーズ処理のフローチャートである。
【図８】図１の電子データ記録装置を適用したＰＤＡ装置の外観を示す斜視図である。
【図９】本発明の第二の実施形態の電子データ記録装置の概要を示すブロック構成図である。
【図１０】図９の電子データ記録装置を適用したデジタルカメラの外観を示す斜視図である。
【符号の説明】
【００９８】
１，１２１
…電子データ記録装置
２，２１１
…記録媒体
６  …残容量判定部
７，１２７
…第二データ記録部
８，１２８
…第二データ読み出し部
９，１２９
…第二の無線通信部
１０  …比較部
１１  …警告表示部
１３，２１３
…第一データ記憶部
１４，２１４
…第一の無線通信部
１５，２１５
…第二データ記憶部
２０，２０Ａ
…デジタルカメラ（電子データ記録装置）
５１  …Bμcom
（第二データ読み出し部，比較部，
第二データ記録部，残容量判定部）
８１，２１１
…画像記録媒体，メディア（記録媒体）
８１ａ，１０１ａ
…メモリ部（第一データ記憶部）
８２ｃ，１１０ｃ
…メモリ部（第二データ記憶部）
８２ｄ，１１０ｄ
…アンテナ部（第一の無線通信部）
８４，１０４
…アンテナ部（第二の無線通信部）
８５，１０７
…警告ブザー（警告表示部）
１００  …ＰＤＡ装置（電子データ記録装置）
１０１  …メディア（記録媒体）
１０８  …μcom
（第二データ読み出し部，比較部，
第二データ記録部，残容量判定部）
代理人      弁理士    伊  藤    進
【図１】
2005174530.tif 000003
【図２】
2005174530.tif 000004
【図３】
2005174530.tif 000005
【図４】
2005174530.tif 000006
【図５】
2005174530.tif 000007
【図６】
2005174530.tif 000008
【図７】
2005174530.tif 000009
【図８】
2005174530.tif 000010
【図９】
2005174530.tif 000011
【図１０】
2005174530.tif 000012